(57)【要約】【課題】発射装置等によらず、簡単な構造により、確実に識別対象に着色溶剤を着色でき、かつ、常時携帯可能な小型のマーキングボールとして利用される薬剤塗布容器を提供する。【解決手段】薬剤を収納してた弾性部材からなる薬剤袋３と、圧縮気体を充填したガスボンベ４と、該ガスボンベ４を開封する開封手段２と、を備える薬剤散布容器１であって、前記ガスボンベ４から放出される圧縮気体の充填により薬剤袋３は膨らまされ、膨張率の臨界点を越えて破裂すると、内部に封入される薬剤が散布される。【選択図】図２
2008051442.tif 000002
【特許請求の範囲】
【請求項１】
薬剤を収納してた弾性部材からなる薬剤袋と、圧縮気体を充填したガスボンベと、該ガスボンベを開封する開封手段と、を備える薬剤散布容器であって、前記ガスボンベから放出される圧縮気体の充填により薬剤袋は膨らまされ、膨張率の臨界点を越えて破裂すると、内部に封入される薬剤が散布される、ことを特徴とする薬剤散布容器。
【請求項２】
前記開封手段の一端はガスボンベの開封口と直結されており、前記薬剤袋は該開放手段を介して該ガスボンベを包含して保持されることを特徴とする、請求項１に記載の薬剤散布容器。
【請求項３】
前記薬剤袋に封入する薬剤はカラー着色剤とすることを特徴とする、請求項１または請求項２に記載の薬剤散布容器。
【請求項４】
前記薬剤袋に封入する薬剤は消火剤とすることを特徴とする、請求項１または請求項２に記載の薬剤散布容器。
【発明の詳細な説明】
【技術分野】
【０００１】
本発明は、防犯、防災等幅広い分野において利用可能な薬剤散布容器の技術に関する。すなわち、突発事件が発生した場合に逃走する犯人や車等を識別するためのマーキングボールとして、あるいは、不意に起こった火災現場での応急的な携帯用消火器として、等様々な分野において利用可能な薬剤散布容器の技術に関する。
【背景技術】
【０００２】
従来、たとえば、金融機関等において強盗等の突発事件が発生した場合、逃走する犯人や車等を識別するためにマーキングボールを用いることがある。ここでマーキングボールはカラーボールとも呼ばれ、一般的に直径数十ｍｍ程度の略球形のカプセル内に着色された油性の溶液が封入されたものであり、このマーキングボールを犯人や車等の識別対象、またはその近傍へ向かって投げつけることでカプセルが破壊して、封入された溶液が識別対象に付着し、追跡の目印となって事後の発見を容易にすることが可能となる。
【０００３】
このようなマーキングボールは、金融機関の行員等といったように、各個人が識別対象となる犯人、あるいは、その近傍へ手で投げつけるものである。しかし、強盗等の突発的な事件が発生した状況において、人の手で正確にコントロールして識別対象へ向けて投擲することは、相当の訓練を積んだ者であっても困難であり、必ずしも効果的なマーキングを行うことができるものではない。
そこで、「特許文献１」に示すように、簡単な構造で小型軽量に構成でき、かつ、マーキングボールの高精度な投擲を実現しながら携帯が可能なマーキングボール発射装置に関する技術が知られている。
【特許文献１】特開２００６−３８４４５号公報
【発明の開示】
【発明が解決しようとする課題】
【０００４】
前記「特許文献１」によれば、簡単な操作によりマーキングボールを確実に識別対象に当てることができ、かつ、構成部品点数を少なく抑えて小型化を図れることから、難なく個人が携帯することも可能となる。
しかし、利用者を一般人と仮定した場合、銃器に似た発射装置なる器具を常時鞄等に携帯することとなり、倫理的に問題があった。また、利用者はマーキングボールの他に別途発射装置を買い求める必要があり、一個人として携帯するには、経済的にも容易なものではなかった。
そこで、本発明においては、発射装置等によらず、簡単な構造により、確実に識別対象に着色溶剤を着色でき、かつ、常時携帯可能な小型のマーキングボールとして利用される薬剤塗布容器を提供することが課題である。
【課題を解決するための手段】
【０００５】
本発明の解決しようとする課題は以上の如くであり、次にこの課題を解決するための手段を説明する。
【０００６】
即ち、請求項１においては、薬剤を収納してた弾性部材からなる薬剤袋と、圧縮気体を充填したガスボンベと、該ガスボンベを開封する開封手段と、を備える薬剤散布容器であって、前記ガスボンベから放出される圧縮気体の充填により薬剤袋は膨らまされ、膨張率の臨界点を越えて破裂すると、内部に封入される薬剤が散布されるものである。
【０００７】
請求項２においては、前記開封手段の一端はガスボンベの開封口と直結されており、前記薬剤袋は該開放手段を介して該ガスボンベを包含して保持されるものである。
【０００８】
請求項３においては、請求項１または請求項２に記載の薬剤散布容器について、前記薬剤袋に封入する薬剤はカラー着色剤とするものである。
【０００９】
請求項４においては、請求項１または請求項２に記載の薬剤散布容器について、前記薬剤袋に封入する薬剤は消火剤とするものである。
【発明の効果】
【００１０】
本発明の効果として、以下に示すような効果を奏する。
【００１１】
請求項１においては、弾性部材からなる薬剤袋の破裂力を利用して、該薬剤袋に封入した薬剤が散布されるため、散布方向を一方向に限定されることなく、あらゆる方向において広範囲に拡散して散布させることができる。
【００１２】
請求項２においては、開封手段とガスボンベとを直結し、かつ、前記薬剤袋は該開放手段を介して該ガスボンベを包含して保持される構造としたため、薬剤散布容器全体の大きさは、前記ガスボンベと略同程度の大きさに抑えることができる。
ここで後述するように、本発明で利用するガスボンベは、モデルガンの銃弾発射や、ライフジャケットの浮き袋の膨張等に用いられる、小型ガスボンベ（二酸化炭素を利用。）を想定しており、このことから、本発明による薬剤塗布容器は、手のひらに収まるほどの大きさにて構成することができる。
【００１３】
請求項３においては、薬剤袋にカラー着色剤を封入し、薬剤散布容器を防犯用品として利用することで、従来の球体カラーボールと比較して、より防犯効果を向上させることができる。
すなわち、犯行後に逃走する犯人や乗物に対して投擲することにより、該カラー着色剤を犯人に付着させる防犯用品に利用でき、薬剤袋の破裂音によって、周囲に犯罪が起きたことを報知することができ、かつ、上述のとおり、カラー着色剤を広範囲に拡散して散布させることができるため、確実に犯人、または、乗物等へ着色することができる。
【００１４】
請求項４においては、薬剤袋に消火剤を封入し、薬剤散布容器を消火器として利用することで、常時携帯可能な小型消火器の実現が可能となり、例えば、バックやポケット等、或いは、車に常時携帯させておき、不意に身近で火災が発生したときには、俊敏に消火対応をとることが可能となる。
【発明を実施するための最良の形態】
【００１５】
次に、発明の実施の形態を説明する。
図１は本発明の一実施例に係る薬剤散布容器の全体的な構成を示した側面図である。
図２は薬剤散布容器の内部構造を示した断面斜視図である。
図３は開封手段近傍の詳細を示した断面側面図である。
図４は薬剤袋が膨張したときの様子を示す、薬剤散布容器の断面斜視図である。
図５は薬剤散布容器の使用時の方法を時系列的に示したモデル図である。
図６は別実施例に係る薬剤散布容器の内部構造を示した断面斜視図である。
図７は別実施例に係る薬剤散布容器の薬剤袋が膨張したときの様子を示した断面斜視図である。
【００１６】
［薬剤散布容器１］
まず、本実施例における薬剤散布容器１の全体構成について図１、および、図２を用いて説明する。
薬剤散布容器１は、開封手段２と薬剤袋３とガスボンベ４とから構成されている。
開封手段２は後述のとおり、ガスボンベ４の開封口を手動操作によって開封するための機構であり、同時に、前記ガスボンベ４と薬剤袋３とを保持する機能が具備されている。
【００１７】
薬剤袋３はゴム等の弾性部材から形成されており、非膨張時においては試験管に似た縦長形状を有している。
【００１８】
ガスボンベ４には炭酸ガス等の圧縮気体が充填されており、従来より、モデルガンの銃弾発射や、ライフジャケットの浮き袋の膨張等に用いられる、小型カートリッジタイプのもので構成されている。また、ガスボンベ４の開封口はキャップ４ａにより密栓されており、該キャップ４ａを介して、前記開封手段２の一端部と螺着されている。
【００１９】
このようにして、ガスボンベ４と開封手段２は同軸上に連結され、かつ、前記ガスボンベ４を包含するように薬剤袋３が開封手段２に装着され、さらに、散布させる薬剤６をガスボンベ４と伴に薬剤袋３の内部に充填させて、薬剤散布容器１は構成されている。
【００２０】
なお、上述のごとく薬剤袋３は弾性部材により形成されるため、外部からの衝撃等により破損する恐れがある。従って、図１に示すように、前記薬剤袋３の外面には化粧ケース７が設けられており、外部からの衝撃等については全て前記化粧ケース７により防御されることとなっている。
【００２１】
ここで化粧ケース７は鋼やプラスチック等の固形材料から形成され、一端部が閉塞された筒形形状により構成されているが、これに限定されるものではなく、たとえば、全長を長くして両端部を開放し、その両端部において薬剤散布容器１・１をそれぞれ挿入させたり、あるいは、矩形部材の一側部に複数の貫通孔を設けて、該貫通孔に薬剤散布容器１・１・・・をそれぞれ挿入させたりしてもよい。
【００２２】
［開封手段２］
次に、本実施例における開封手段２の構成について図３、および、図４を用いて説明する。なお、図中に示す矢印Ａはガスボンベ４から噴出される圧縮空気の流れ方向を示す。また、図中の矢印Ｂの方向を便宜上正面として、以下説明する。
開封手段２は本体部１１とピストン部１２と蓋部１３とにより構成される。本体部１１は略円筒状に構成されて中心軸上に貫通孔１１ａが設けられている。ピストン部１２は前記貫通孔１１ａ内に軸心方向に摺動自在に収納されている。蓋部１３は本体部１１の一側に前記貫通孔１１ａを閉じるように螺設される。
【００２３】
［本体部１１］
本体部１１に設けられる貫通孔１１ａは、一端側が蓋部１３により閉じられ、他端側の内部において内径寸法を僅かに窄めた雌ねじ加工部１１ｂが設けられており、前記ガスボンベ４の一端側に設けるキャップ４ａの外周が螺着されている。
また、前記雌ねじ加工１１ｂの内部側（ピストン部１２収納側）の本体部１１には、貫通孔１１ａと直交して（半径方向に）複数の通過孔１１ｃ・１１ｃ・・・が貫通して設けられ、正面視にて放射状に設けられており、ガスボンベ４から圧縮空気が外部へ抜けて出られるようにしている。
【００２４】
本体部１１において、ガスボンベ４を螺設する側と反対側の外周面に雄ねじ加工部１１ｄが設けられており、該雄ねじ加工部１１ｄに蓋部１３が螺設されている。
また、本体部１１の外周面前後方向略中央部には、断面視にて「Ｕの字」にえぐられた溝部１１ｅが環状に設けられており、該溝部１１ｅと蓋部１３によって、薬剤袋３の開放部先端が咬止されている。
【００２５】
［ピストン部１２］
ピストン部１２は前記本体部１１に設けられた貫通孔１１ａ内を摺動する円柱部材１２ａと、該円柱部材１２ａの一端部に設けられた針部１４と、該針部１４と反対側の他端部に設けられた案内部材１２ｂと、により構成される。
すなわち、円柱部材１２ａの一方の端面において、尖鋭な針部１４が同軸心上に延出して設けられており、他方の端面には、棒形状の案内部材１２ｂが同軸心上に延出して設けられ、蓋部１３から外側に突出されている。
【００２６】
このような構成からなるピストン部１２は、針部１４が延出される端面をガスボンベ４側に向けて、本体部１１の貫通孔１１ａに摺動自在に装入され、後述のとおり、案内部材１２ｂを介して正面方向に押し込まれることにより、針部１４の先端部が、ガスボンベ４のキャップ４ａの端面を突き破り、その結果、前記ガスボンベ４に充填される圧縮気体が放出される。
【００２７】
すなわち、図３の（ロ）に示すように、ガスボンベ４のキャップ４ａ端面において、前記針部１４の先端部が貫入されると、前記ガスボンベ４の内部に充填される圧縮気体の圧力によりピストン部１２は一端後方に押しやられ、蓋部１３に当接して保持される。
【００２８】
ピストン部１２の後方への摺動動作により、キャップに形成された孔部４ｂは、針部１４により閉塞される状態から開放され、前記圧縮気体は外部に噴出される。
その後、円柱部材１２ａの端面により塞がれた貫通孔１１ａの空間内に圧縮気体は充満され、通過孔１１ｃを流通して本体部１１の外部に放出される。そして、放出された圧縮気体は薬剤袋３内にて、薬剤６を拡散させながら対流することとなり、該薬剤袋３は膨らむ。
【００２９】
なお、通常時（使用しないとき）においては、不意の外部からの衝撃等により、ピストン部１２が意図せずガスボンベ４側へ摺動して、前記圧縮気体が放出されるのを防止するために、ストッパーピン１６（図５を参照。）が設けられている。
すなわち、ピストン部１２の案内部材１２ｂの先端部には貫通孔１２ｃが設けてあり、該貫通孔１２ｃに前記ストッパーピン１６を直角方向に嵌挿させて設けることにより、たとえ、ピストン部１２がガスボンベ４側へ摺動しようとしても、後述の蓋部１３の平面部１３ｃに前記ストッパーピン１６が当接されて、ピストン部１２の位置は保持される。
【００３０】
［蓋部１３］
蓋部１３は筒状部材の一方の端部が平面部１３ｃで塞がれた形状からなり、該平面部１３ｃの中心部には、ピストン部１２の案内部材１２ｂが挿通可能な程度の貫通孔１３ａが設けられている。また、蓋部１３の内側奥には雌ねじ加工１３ｂが施されており、該雌ねじ加工１３ｂを介して本体部１１の雄ねじ加工１１ｄ部に螺合して固設される。
すなわち、側面視にて、蓋部１３の開放側が本体部１１のピストン部１２側の外周に螺装して、蓋部１３がピストン部１２の抜け止めとして本体部１１に固定される。
【００３１】
このようにして蓋部１３が本体部１１のピストン部１２側に固設されることにより、たとえピストン部１２がガスボンベ４から放出される圧縮気体により後方へ押しやられても、前記平面部１３ｃと当接され、ピストン部１２の脱落を防止することができる。
【００３２】
また、蓋部１３が本体部１１に固設される状態において、該本体部１１に設けられる前記環状の溝部１１ｅは、蓋部１３の内側の略中央付近に位置することになり、薬剤袋３の開放部先端付近は、本体部１１の外面と、蓋部１３の内面と、により挟み込まれて、咬止される。
【００３３】
［作動方法］
次に、本実施例における薬剤散布容器１の作動方法について図５を用いて説明する。
まず、図５の（イ）に示すように、化粧ケース７から薬剤散布容器１を抜き出すことにより、薬剤袋３が膨張可能な状態にする。
次に、図５の（ロ）に示すように、上述したストッパーピン１６をピストン部１２の案内部材１２ｂから抜き取ることにより、前記ピストン部１２が開封手段２の本体部１１内を摺動自在な状態にする。すなわち、ストッパーピン１６が抜き取られたピストン部１２は、蓋部１３の平面部１３ｃに当接して妨げられることもなく、本体部１１内の貫通孔１１ａを自由に摺動可能な状態となる。
【００３４】
なお、ストッパーピン１６の抜き取り動作においては、ガスボンベ４から圧縮気体が放出されることもなく、薬剤袋３の膨張変化は発生しない。従って、ストッパーピン１６を再びピストン部１２の案内部材１２ｂに組付け、化粧ケース７内に薬剤散布容器１に差し込むことにより、薬剤散布容器１を作動前の状態に復元することができる。
【００３５】
ピストン部１２が本体部１１内を自由に摺動可能な状態において、図５の（ハ）に示すように、案内部材１２ｂの先端を壁や地面等の固定物２１に押し当てることによって、ピストン部１２をガスボンベ４側に摺動させ、該ピストン部１２の針部１４を該ガスボンベ４のキャップ４ａの端面に突き刺す。これにより、前記キャップ４ａの端面に孔部４ｂが空けられ、該孔部４ｂを介して、ガスボンベ４内に充填される圧縮気体は放出されることになる。
【００３６】
圧縮気体がガスボンベ４内から一旦放出されると、該圧縮気体の充填により薬剤袋３は膨張し続け、該薬剤袋３の膨張率が臨界点を越えると破裂して内部に封入される薬剤６を散布することとなる。従って、図５の（ニ）に示すように、一旦薬剤袋３が膨張し始めた後には、破裂する前に素早く目的物に投擲する必要がある。
【００３７】
このように、本発明における薬剤塗布容器１では、圧縮気体の薬剤袋３内部における充填状態では、前記薬剤６は十分に拡散され、かつ、弾性部材からなる薬剤袋３の破裂力を利用して、該薬剤袋３に封入した薬剤６が散布されるため、散布方向を一方向に限定されることなく、あらゆる方向において広範囲に拡散して散布させることができるのである。
【００３８】
また、封入させる薬剤６としてカラー着色剤を選択することにより、薬剤散布容器１は、従来の球体カラーボールと比較して、より防犯効果の向上される防犯用具として利用することができる。
すなわち、本発明における薬剤散布容器１は、火薬や化学薬品等による爆発作用を利用した爆音、爆風により薬剤を周囲に散布させるものではなく、二酸化炭素等による圧縮気体の充填による薬剤袋３の破裂力を利用するため、環境や人体に対しての障害を与えることもなく、火薬等の爆発作用と同様の効果をもたらすことができ、かつ、法的にもなんら規制がかかることなく一般市民が携帯することができる。そして、薬剤袋３の破裂音によって、周囲に犯罪が起きたことを報知することができ、かつ、上述のとおり、カラー着色剤を広範囲に拡散して散布させることができるため、確実に逃走する犯人、または、乗物等へ着色することができる。
【００３９】
さらに、封入させる薬剤６として消火剤を選択することにより、薬剤散布容器１は、常時携帯可能な小型消火器として利用することができ、例えば、バックやポケット等、或いは、車に常時携帯させておき、不意に身近で火災が発生したときには、俊敏に消火対応をとることが可能となる。
【００４０】
なお、本発明の別実施例として、薬剤袋３６を薬剤散布容器３１内部に設けることも可能である。
すなわち、図６および図７において、開封手段３２を構成する本体部１１やピストン部１２、および、ガスボンベ４等に関しては、上述の実施例と同じ構成を有するが、本『別実施例』では、蓋部１３に相当する本体部３７と、該本体部３７の一側端部に螺設されるキャップ３８を新たに設けて、これら構成部位３７・３８の間に薬剤袋３６を咬止させて構成される。
【００４１】
ここで、前記本体部３７は筒状部材の一方の端部を平面部３７ｃで塞がれ、他の端部において外形寸法を僅かに窄めた雄ねじ加工３７ｂが施されており、また、前記キャップ３８は内部に雌ねじ加工３８ｂを施した筒状部材から形成され、一方の端部において、中心部に貫通孔３８ｃを設けた平面部３８ａにより塞がれている。
【００４２】
これら本体部３７の雄ねじ加工３７ｂ、および、キャップ３８の雌ねじ加工３８ｂを介して両構成部位３７・３８は組み付けられるが、この時、本体部３７の雄ねじ部の正面と、キャップ３８の平面部３８ａの裏面との間に生じる隙間３９を利用して薬剤袋３６が咬合される。
【００４３】
このような構成を有することにより、薬剤散布容器３１は、化粧ケース７を別途設ける必要もなく、外部からの衝撃等から薬剤袋３６を効果的に防御することができる。
【図面の簡単な説明】
【００４４】
【図１】本発明の一実施例に係る薬剤散布容器の全体的な構成を示した側面図。
【図２】薬剤散布容器の内部構造を示した断面斜視図。
【図３】開封手段近傍の詳細を示した断面側面図。
【図４】薬剤袋が膨張したときの様子を示す、薬剤散布容器の断面斜視図。
【図５】薬剤散布容器の使用時の方法を時系列的に示したモデル図。
【図６】別実施例に係る薬剤散布容器の内部構造を示した断面斜視図。
【図７】別実施例に係る薬剤散布容器の薬剤袋が膨張したときの様子を示した断面斜視図。
【符号の説明】
【００４５】
１      薬剤散布容器
２      開封手段
３      薬剤袋
４      ガスボンベ
４ａ    キャップ
６      薬剤
１１    本体部
１１ａ  貫通孔
１１ｂ  雌ねじ加工
１１ｃ  通過孔
１１ｄ  雄ねじ加工
１１ｅ  溝部
１２    ピストン部
１２ａ  円柱部材
１２ｂ  案内部材
１２ｃ  貫通孔
１３    蓋部
１３ａ  貫通孔
１３ｂ  雌ねじ加工
１３ｃ  平面部
１４    針部
【図１】
2008051442.tif 000003
【図２】
2008051442.tif 000004
【図３】
2008051442.tif 000005
【図４】
2008051442.tif 000006
【図５】
2008051442.tif 000007
【図６】
2008051442.tif 000008
【図７】
2008051442.tif 000009